(57)【要約】      （修正有）【課題】密閉式ゴミ箱にたまったゴミの取り出し作業を容易にするゴミ箱を提供する。【解決手段】ゴミ箱の箱体上部にゴミの投入用蓋付開口部を設け、箱体側部にゴミの取り出し用戸付開口部を設ける。また、ゴミの投入用蓋と箱体側部とに制御器シリンダ９、支持棒及び連接棒を設ける。【選択図】図１
0003102786.tif 000002
【実用新案登録請求の範囲】
【請求項１】
ゴミ箱の箱体上部にゴミの投入用蓋付開口部を設け、上記箱体側部にゴミの取り出し用戸付開口部を設けたことを特徴とする密閉式ゴミ箱。
【請求項２】
上記ゴミ箱体の上記蓋と上記箱体側部とにピストン＝シリンダ式制動器を設けたことを特徴とする請求項１記載の密閉式ゴミ箱。
【請求項３】
上記ゴミ箱において、ベタルが上記箱体側部から突出した支持棒で回転自在に支えられ、同支持棒の動きは連接棒を介して上記蓋の連接材に伝わる機構であることを特徴とする請求項１記載および請求項２記載の密閉式ゴミ箱。
【考案の詳細な説明】
【技術分野】
【０００１】    本考案は、ゴミを投入し、あるいは回収する場合を除き、ゴキブリ等の害虫の侵入を阻止できる程度に密閉されるゴミ箱の改良に係るものである。
【背景技術】
【０００２】  （１）図１１乃至図１４は、従来、この種のゴミ箱の図示例であり、図１１は斜視図、図１２はその正面図、図１３は図１２のＡ−Ａ線矢視図、図１４はその平面図である。
図１１乃至図１４に示すように、ゴミ箱は、上開き蓋３と箱体２とで構成される。蓋３の縁部下面３ａに箱体上部端面２ａが閉じたとき、それら両端部はゴキブリ等が通過できない程度に密着している。【０００２】  （２）多くの場合、ゴミ箱のゴミ回収を便ならしめるため、図１３の如く箱体２の内部に上開きの容器１を置き、ゴミは蓋３を持ち上げてできる開口を経て内臓容器１の内部に投入される。
ゴミのたまった内臓容器１は蓋３を持ち上げてできる上部開口から取り出す。【０００３】  （３）ゴミのたまった内臓容器１をつかんで、箱体２の内部から取り出すとき特にたまったゴミの量が多いと、かさばって重くなり、扱居にくく、作業は難渋する欠点があった。
【考案の開示】
【考案が解決しようとする課題】
【０００４】  本考案は、上記した欠点を解消し、密閉式ゴミ箱にたまったゴミの取り出し作業を容易にすること目的とするものである。
【課題を解決するための手段】
【０００５】  本考案の第一考案はゴミ箱の箱体上部にゴミの投入用蓋付開口部を設け、上記箱体側部にゴミの取り出し用戸付開口部を設けた密閉式ゴミ箱である。【０００６】  本考案の第二考案は、本考案の第一考案において、上記ゴミ箱体の上記蓋と上記箱体側部とにピストン＝シリンダ式制動器を設けた密閉式ゴミ箱である。【０００７】  本考案の第三考案は、本考案の第一考案および第二考案において、上記ゴミ箱において、ベタルが上記箱体側部から突出した支持棒で回転自在に支えられ、同支持棒の動きは連接棒を介して上記蓋の連接材に伝わる機構である密閉式ゴミ箱である。
【考案の効果】
【０００６】  （１）ゴミのたまった内臓容器をつかんで水平方向に引きずり出せるので、従来方式に比べ、楽な姿勢と少ない力でゴミの取り出し作業を行うことができるようになる。【０００７】  （２）ゴミ箱体の上記蓋と上記箱体側部とにピストン＝シリンダ式制動器を設けたことにより、機械力を使用することにより重いゴミのたまった内臓容器を容易に取り出すことが出来る。【０００８】  （３）ゴミ箱において、ベタルが上記箱体側部から突出した支持棒で回転自在に支えられ、同支持棒の動きは連接棒を介して上記蓋の連接材に伝わる機構であるので、機械力を使用することにより重いゴミのたまった内臓容器を容易に取り出すことが出来る。
【考案を実施するための最良の形態】
【０００７】  ゴミ箱の箱体上部にゴミの投入用蓋付開口部を設け、上記箱体側部にゴミの取り出し用戸付開口部を設けた密閉式ゴミ箱である。
【実施例１】
【０００９】  図１乃至図４は、本考案の実施例１を図示するものであり、図１は斜視図、図２はその正面図、図３は図２のＢ−Ｂ線矢視断面図、図４はその平面図である。
図１乃至図４示すように、蓋５のついた箱体４の側部に戸６（開かれると６ｂ）を設ける。
【構成】
蓋５の縁部５ａ、戸の縁部６ａは、それから閉じたとき、夫々箱体４の端部４ａ、４ｂに密着する。
【作用】
【００１０】  このような構成において、ゴミは蓋５を５ａのように持ち上げてできる上部開口から箱体４の内部の内臓容器１に投入する。
蓋５、戸６を閉じると、密着部４ａ対５ａ、密着部４ｂ対６ａによってゴキブリ等が内部に侵入するのを阻止する。
たまったゴミを取り出すとき、戸６を６ｂのように開いてできる側部開口からゴミのたまったままの内臓容器１を引きずり出せばよい。
【実施例２】
【００１１】  図５乃至図７は、本考案の実施例２を図示するものであり、図５は側面図、図６はその正面の部分図、図７はその平面図である。
【構成】
図５乃至図７に示すように、蓋が「開」の位置８ａから「閉」の位置８まで降下する速度を減じ、密着部の衝突を緩和するために、ピストン＝シリンダ式の制動器を用いている。
制動器のシリンダ９の下部は、箱体７の側部から突出した支点棒７ａによって支えられ、制動器のピストンロッド９ａの上部はクレビス９ｂ、ピン９ｃを介して蓋の接続材８ｂに連結されている。
【作用】
「開」の位置８ａで放された蓋は、「閉」の位置８に至るまで自重によって落下するが、その速度は、制動器のピストンロッド９ｄが９ｂまで短縮するときに生じる抵抗力によって抑制される。
【実施例３】
【構成】
【００１２】  図８乃至図１０は、本考案の実施例３を図示するものであり、図８は側面図、図９はその正面の部分図、図１０はその平面図である。
図８乃至図１０に示すように、実施例２に示す蓋の落下速度を抑制する制動器のほかに足踏み動作によって蓋を開く機構を付設したものである。
ペダル１０は箱体７の側部から突出した支点棒７ｂによって回転自在に支えられる。その動きは、連接棒１１，１２を介して蓋の接続材８ｃに伝わるようになっている。
【作用】
このような構成において、ベタル１０の右端部を踏み込むと位置１０ａに移動し、その左につながった連接棒１１，１２は、夫々位置１１ａ、１２ｂに移動し、蓋を８ａに押し上げる。
【産業上の利用可能性】
【００１３】  本考案にかかわるゴミ箱は、単にゴミ箱のみならず穀物などの微粒物の収納・排出等の容器等にも利用出来る。
【図面の簡単な説明】
【００１４】
【図１】「本考案の実施例１を示した斜視図である。」
【図２】「本考案の実施例１を示した正面図である。」
【図３】「本考案の実施例１を示した図２のＢ−Ｂ線矢視断面図である。」
【図４】「本考案の実施例１を示した平面図である。」
【図５】「本考案の実施例２を示した側面図である。」
【図６】「本考案の実施例２を示した正面の部分図である。」
【図７】「本考案の実施例２を示した平面図である。」
【図８】「本考案の実施例３を示した側面図である。」
【図９】「本考案の実施例２を示した正面の部分図である。」
【図１０】「本考案の実施例３を示した平面図である。」
【図１１】「従来のゴミ箱を示した斜視図である。」
【図１２】「従来のゴミ箱を示した正面図である。」
【図１３】「従来のゴミ箱を示した正面図１２のＡ−Ａ線矢視断面図である。」
【図１４】「従来のゴミ箱を示した平面図である。」
【符号の説明】
【００１５】１  内蔵容器
２  箱体
２ａ  密着部
３  蓋
３ａ  密着部
３ｂ  開かれた蓋
４  箱体
４ａ  密着部（上部）
４ｂ  密着部（側部）
５  蓋
５ａ  密着部
５ｂ  開かれた蓋
６  戸
６ａ  密着部
６ｂ  開かれた戸
７  箱体
７ａ  支点棒（制動器用）
７ｂ  支点棒（ペダル用）
８  蓋
８ａ  開かれた蓋
８ｂ  接続材（制動器用）
８ｃ  接続材（足踏み機構用）
９  制動器シリンダ
９ａ  ピストンロッド
９ｂ  クレピス
９ｃ  ピン
９ｄ  伸びたピストンロッド
１０  ペダル
１０ａ  押下げられたペダル
１１  連続棒
１１ａ  左端が上昇した連続棒
１２  連続棒
１２ａ  押上げられた連続棒
１３  ピン
【図１】
0003102786.tif 000003
【図２】
0003102786.tif 000004
【図３】
0003102786.tif 000005
【図４】
0003102786.tif 000006
【図５】
0003102786.tif 000007
【図６】
0003102786.tif 000008
【図７】
0003102786.tif 000009
【図８】
0003102786.tif 000010
【図９】
0003102786.tif 000011
【図１０】
0003102786.tif 000012
【図１１】
0003102786.tif 000013
【図１２】
0003102786.tif 000014
【図１３】
0003102786.tif 000015
【図１４】
0003102786.tif 000016